(57)【要約】【課題】  デジタル音楽放送受信装置において、同じ楽曲が繰り返し受信されないようにする。【解決手段】  利用者が指定したチャンネルＩＤを記憶するチャンネル記憶手段と、受信履歴作成処理と、楽曲比較処理と、チャンネル切換処理を行う制御手段を備え、受信履歴作成処理は、所定期間に受信した楽曲のＩＤを更新しながら記録して履歴簿を作成し、楽曲比較処理は、受信直前または受信中の楽曲のＩＤが履歴簿に記録された楽曲ＩＤと同じか否かを比較し、チャンネル切換処理は、楽曲比較処理にて同じと判定した場合に、チャンネル記憶手段に記憶されているチャンネルに切り換えることとしている。【選択図】  図２
2005294950.tif 000002
【特許請求の範囲】
【請求項１】
チャンネル記憶手段と、制御手段を備えたデジタル音楽放送受信装置であって、
チャンネル記憶手段は、利用者が指定したチャンネルＩＤを記憶し、
制御手段は、受信履歴作成処理と、楽曲比較処理と、チャンネル切換処理を行い、
受信履歴作成処理は、所定期間に受信した楽曲のＩＤを更新しながら記録して履歴簿を作成し、
楽曲比較処理は、受信直前または受信中の楽曲のＩＤが履歴簿に記録された楽曲ＩＤと同じか否かを比較し、
チャンネル切換処理は、楽曲比較処理にて同じと判定した場合に、チャンネル記憶手段に記憶されているチャンネルに切り換える
デジタル音楽放送受信装置。
【請求項２】
ジャンル記憶手段と、制御手段を備えたデジタル音楽放送受信装置であって、
ジャンル記憶手段は、利用者が指定したジャンル記述子を記憶し、
制御手段は、受信履歴作成処理と、楽曲比較処理と、チャンネル切換処理とを行い、
受信履歴作成処理は、所定期間に受信した楽曲のＩＤを更新しながら記録して履歴簿を作成し、
楽曲比較処理は、受信直前または受信中の楽曲のＩＤが履歴簿に記録された楽曲ＩＤと同じか否かを比較し、
チャンネル切換処理は、楽曲比較処理にて同じと判定した場合に、ジャンル記憶手段に記憶されているジャンル記述子に該当するジャンル分類の楽曲を放送するチャンネルに切り換える
デジタル音楽放送受信装置。
【請求項３】
制御手段は、電子番組表データを取得する処理と、取得した電子番組表データに基づいて放送中の楽曲のジャンル分類を特定する処理を行う請求項２に記載のデジタル音楽放送受信装置。
【請求項４】
チャンネル切換処理は、楽曲比較処理にて同じと判定した場合に、受信中の楽曲と同じジャンル分類の楽曲を放送するチャンネルに切り換える請求項２に記載のデジタル音楽放送受信装置。
【発明の詳細な説明】
【技術分野】
【０００１】
この発明は、デジタル放送によって放送されている音楽番組を受信するためのデジタル音楽放送受信装置に関し、具体的には、デジタル音楽放送受信装置において、受信中の楽曲に応じてチャンネルを切り換えるための制御技術に関する。
【背景技術】
【０００２】
デジタル放送の一放送形態であるＣＳデジタル多チャンネル放送は、ＭＰＥＧ２規格に基づいた符号化圧縮技術とデータ多重化技術を利用し、１つの伝送帯域に複数チャンネル分の番組を多重化することができる。そして、複数の伝送帯域のそれぞれに複数のチャンネル分の番組を時間軸多重することで、一つの通信衛星（ＣＳ）を介して、数百以上のチャンネル分のＴＶ番組やラジオ番組を同時に放送している。
【０００３】
デジタル放送による番組の中には、音楽を専門に扱う番組も多く、膨大な数の音楽専門チャンネルであらゆるジャンルの楽曲が放送されて、聴取者は好みの曲をいつでも聴くことができる。また、デジタル放送では、番組の本体となる音声や映像のデータとともに各種付加データが多重化されており、音楽放送では、楽曲の曲名やアーティスト名などを示す付加データが多重化されている。
【０００４】
デジタル放送の受信装置としては、ＣＳデジタル多チャンネル放送を受信してその音声や映像を再生するための受信装置などがあり、パラボラアンテナなどが捕らえた放送電波中の放送データを処理することで、番組の音声信号や映像信号を再生する。また、多重化されている各種付加データを適宜に処理する。再生された音声や映像は、適宜な映像音響器機を介して視聴可能に出力される。また音楽放送であれば、曲名やアーティスト名を受信装置本体のディスプレイや外部に接続された適宜な映像機器に表示出力することができる。
【０００５】
また、周知の電子番組表（ＥＰＧ）機能を備えた受信装置では、各チャンネルの番組表を表示したり、ＧＵＩによりジャンルやキーワードを指定して放送中あるいは放送予定の該当番組を検索したりすることができる。そして、ＥＰＧの表示画面上で番組を指定すれば、該当するチャンネルに切り換えることができる。なおデジタル放送の受信装置については、例えば以下の特許文献１に詳しく記載されている。
【特許文献１】特開２００２−１９８９２２号公報
【発明の開示】
【発明が解決しようとする課題】
【０００６】
デジタル放送における各音楽専門チャンネルの番組は、例えば、演歌だけ、ジャズだけなど音楽ジャンルを切り口とした内容であったり、特定のアーティストの楽曲のみを放送したり、あるいは所定期間ごとのＣＤ売り上げランキングから上位所定曲数分の楽曲などを放送したりして、各チャンネル各様に特徴をもたせて多種多様な聴取者の嗜好に対応している。また、音楽専門チャンネルにおける番組編成としては、内容の異なる番組を時間割にするのではなく、実質的に１チャンネルが１番組とし、１日にその１つの番組を繰り返して放送していることが多い。そして１つの番組は、５０曲程度の楽曲で編成されて、これらの楽曲演奏が数時間で一巡するような内容となっている。そのため、同じチャンネルを長時間受信していれば、当然同じ楽曲を再度聴くことになる。また、この５０曲程度の楽曲は毎日更新されるわけではなく、普通、１週間など所定期間は同じ楽曲編成で放送される。毎日同じチャンネルを受信していれば、同じ楽曲ばかりが繰り返し放送されてしまい、聴取者は飽きてしまう。
【０００７】
もっとも、聴取者が同じ楽曲を聴くのに飽きた場合、他のチャンネルに切り換えればよいのではあるが、音楽専門チャンネルの数は膨大であり、また、流行曲やヒット曲はどのチャンネルでも放送されている可能性があるため、チャンネルを切り換えたからといって必ずしも違う楽曲が切換先のチャンネルで放送されているとは限らない。そのため聴取者は、切り換え先のチャンネルを決定するのにも時間や手間を要する。
【０００８】
確かに、受信装置の付加データ処理機能を利用すれば、聴取者がチャンネルを順次切り換えていくように操作して放送中の楽曲の曲名などを確認することができる。そして、聴きたい楽曲を放送しているチャンネルに切り換えればよい。デジタル放送における周知の電子番組表（ＥＰＧ）機能を利用すれば、膨大なチャンネルの中から現在放送中の楽曲を確認することができる。しかし、同じ楽曲が再度放送される度にチャンネルをわざわざ切り換える操作自体が面倒であり、ＥＰＧなど高度な操作を要する機能を使用すれば、さらに面倒で時間の掛かる操作が必要となる。
【０００９】
また、デジタル放送の音楽番組は、店内などでＢＧＭ代わりに聴取されている場合も多い。すなわち、あるチャンネルの音楽放送を常時受信して音楽を流しっぱなしにする。来店客であれば、店内にいる時間も限られ、同じ楽曲を再度聴くことは少ない。しかし、店員など主な聴取者は、何度も同じ楽曲を聴かされる場合が多い。しかも店員は、手が離せない別の作業をしているので選局操作自体できない。
【課題を解決するための手段】
【００１０】
本発明は、上記課題を解決するためになされたもので、デジタル音楽放送受信装置において、特別な選局操作をしなくても同じ楽曲が繰り返し受信されないようにすることを目的としている。そして本発明のデジタル音楽放送受信装置は、チャンネル記憶手段と、制御手段を備え、
チャンネル記憶手段は、利用者が指定したチャンネルＩＤを記憶し、
制御手段は、受信履歴作成処理と、楽曲比較処理と、チャンネル切換処理を行い、
受信履歴作成処理は、所定期間に受信した楽曲のＩＤを更新しながら記録して履歴簿を作成し、
楽曲比較処理は、受信直前または受信中の楽曲のＩＤが履歴簿に記録された楽曲ＩＤと同じか否かを比較し、
チャンネル切換処理は、楽曲比較処理にて同じと判定した場合に、チャンネル記憶手段に記憶されているチャンネルに切り換えることとしている。
【００１１】
あるいは、ジャンル記憶手段と、制御手段を備え、
ジャンル記憶手段は、利用者が指定したジャンル記述子を記憶し、
制御手段は、受信履歴作成処理と、楽曲比較処理と、チャンネル切換処理とを行い、
受信履歴作成処理は、所定期間に受信した楽曲のＩＤを更新しながら記録して履歴簿を作成し、
楽曲比較処理は、受信直前または受信中の楽曲のＩＤが履歴簿に記録された楽曲ＩＤと同じか否かを比較し、
チャンネル切換処理は、楽曲比較処理にて同じと判定した場合に、ジャンル記憶手段に記憶されているジャンル記述子に該当するジャンル分類の楽曲を放送中のチャンネルに切り換えるデジタル音楽放送受信装置とすることもできる。
【００１２】
このジャンル記憶手段を備えたデジタル音楽放送受信装置において、制御手段は、電子番組表データを取得する処理と、取得した電子番組表データに基づいて放送中の楽曲のジャンル分類を特定する処理を行うこととしてもよい。
【００１３】
チャンネル切換処理は、楽曲比較処理にて同じと判定した場合に、受信中の楽曲と同じジャンル分類の楽曲を放送中のチャンネルに切り換えるデジタル音楽放送受信装置とすることもできる。
【発明の効果】
【００１４】
本発明のデジタル音楽放送受信装置によれば、同じ楽曲が周期的に繰り返し受信されることがなく、例えば、多数の楽曲を周期的に繰り返し放送するような形態のデジタル音楽放送を常時受信するような視聴形態において、特別な選局操作をしなくても所定期間中は同じ楽曲が２度受信されることがない。そのため、聴取者を飽きさせることがない。
【発明を実施するための最良の形態】
【００１５】
＝＝＝デジタル音楽放送＝＝＝
本発明の実施例におけるデジタル音楽放送受信装置は、ＣＳデジタル多チャンネル放送のラジオ番組を受信対象としている。１つのチャンネルで放送される番組は、その番組の本体となる音声データの他に、各種制御データや文字・画像データなどの付加データが多重化されたデータ（番組データストリーム）として構成されている。そして、複数のチャンネルで放送する番組データストリームを時間軸多重して放送データストリームとし、この放送データストリームをＱＰＳＫ変調して適宜な伝送帯域の搬送波により送信している。ＣＳデジタル多チャンネル放送では、複数の搬送波により、１つのＣＳを介して数百チャンネルの番組が並行して放送されている。なお、本実施例のデジタル音楽放送受信装置は、音声だけのラジオ放送を受信対象としているが、もちろん映像データが多重化されたＴＶ放送も受信可能な装置であってもよい。
【００１６】
＝＝＝デジタル音楽受信装置の基本的な構成と機能＝＝＝
図１は、本発明の実施例に係るデジタル音楽放送受信装置（以下、受信装置）の機能ブロック構成である。制御部１１は、周辺各構成部を制御して音楽放送受信装置１を統括している。制御部１１は、映像制御部操作パネル１９やリモコン送信器２０などから選局情報がユーザ入力されると、操作制御部１８はこの選局情報を制御部１１に転送する。制御部１１は、同調部１３を制御して、選局情報によって指定されたチャンネルを含む搬送波の中間周波数（ＩＦ）に同調させ、このＩＦ帯の変調波を出力させる。復調部１４は、入力した変調波を放送データストリームに復調する。
【００１７】
多重分離部１５は、この放送データストリームをチャンネル毎のデータ、すなわち番組データストリームに分離するとともに、選局チャンネルの番組データストリームをさらに音声データや付加データに分離する。また、放送データストリーム中のＥＰＧ機能に関わるデータ（以下、ＥＰＧデータ）も分離する。
【００１８】
多重分離された音声データは復号部１６に入力される。復号部１６は入力した音声データをアナログ音声信号に復号して出力する。出力された音声信号がアンプなどを介してスピーカに出力されれば、ラジオ番組の音声を聴取することができる。ＥＰＧデータ、付加データは制御部１１に転送され適宜に処理される。音楽番組では、放送直前の楽曲、あるいは放送中の楽曲の曲名とアーティスト名が付加データとして番組データ中に多重化されており、制御部１１は、多重分離された付加データ中の曲名とアーティスト名の文字列をビデオＲＡＭ２１にビットマップ展開し、映像制御部２２は、そのビットマップ画像をビデオ信号にして出力する。出力されたビデオ信号は、ＴＶ受像器などにより曲名とアーティスト名として表示出力される。
【００１９】
また、ＥＰＧデータに基づいて、番組表をディスプレイに表示したり、各種クエリー（ジャンル、アーティスト名など）を利用者入力により受けつけて該当する音組を検索し、その番組を放送しているチャンネルに切り換えたりする。
【００２０】
＝＝＝チャンネル自動切換機能＝＝＝
本実施例の受信装置１は、上記基本機能に加え、受信した楽曲、あるいは受信直前の楽曲が、過去所定期間内に受信されていれば、その過去所定期間に受信されていない楽曲を放送している他のチャンネルに切り換える機能（チャンネル自動切換機能）を備えている。制御部１１は、利用者入力された１以上のチャンネルの指定情報を操作制御部１８を介して受け取ると、その指定チャンネルのＩＤ（チャンネル番号など）をフラッシュメモリ１７に格納する。そして、利用者入力によりチャンネル自動切換機能の能動化設定がなされると、所定期間に受信した楽曲のＩＤをフラッシュメモリ１７に記憶し、これを履歴簿として管理する。本実施例では、付加データ中の曲名とアーティスト名を楽曲ＩＤとし、制御部１１は、受信中のチャンネルの番組ストリームデータ中に楽曲ＩＤが含まれていればそれを取得し、その楽曲ＩＤを履歴簿に記録していく。そして、楽曲ＩＤが所定の曲数分記録されるまでの期間を所定期間として履歴簿を順次更新していく。すなわち、所定曲数分の楽曲ＩＤが記録されると、以後最新の楽曲ＩＤが記録される度に、最も古い分の記録から順次消去して履歴簿を更新していく。もちろん、所定の受信時間が経過するごとに、古い楽曲ＩＤを順次消去していってもよい。なお、楽曲ＩＤは曲名やアーティスト名に相当するテキストデータに限らず、楽曲ごとに固有の符号であってもよい。
【００２１】
図２にチャンネル自動切換処理の流れを示した。制御部１１は、あるチャンネルの放送を受信しているときに楽曲ＩＤを取得すると、そのＩＤを履歴簿に照会する（ｓ１、ｓ２→ｓ３）。そして、同じ楽曲ＩＤが記録されていなければ、そのＩＤをフラッシュメモリ１７に記憶して履歴簿を更新する（ｓ３→ｓ５）。履歴簿に同じ楽曲ＩＤがあれば、受信中のチャンネル以外で、指定チャンネルとして設定されている他のチャンネルに切り換える（ｓ３→ｓ４）。切換先のチャンネルの受信中に履歴にある楽曲を受信したならば、再度他のチャンネルに切り換える。履歴にない楽曲を受信したならば、その楽曲のＩＤを履歴簿に記録する。なお、切換先となるチャンネルの選択制御については、受信中以外の指定チャンネルからランダムに選局してもよいし、切り換える順番が決まっていてもよい。その順番を利用者が設定できるようにしてもよい。あるいは受信したチャンネルの履歴をとっておけば、受信頻度の高い（低い）チャンネルを優先的に選局することもできる。
【００２２】
＝＝＝楽曲ＩＤの取得について＝＝＝
番組によっては、各楽曲を実際に放送する前に、その番組で放送予定の楽曲のＩＤを前もって放送する可能性もある。このような場合、番組中で放送予定の楽曲のＩＤが履歴簿にあると、他のチャンネルに切り換わってしまう。すなわち、履歴簿にない楽曲が履歴簿にある楽曲に先立って放送されるとしても他のチャンネルに切り替わってしまう。このような問題を回避するためには、必ず、受信直前の楽曲や受信中についてのＩＤを取得するようにすればよい。
【００２３】
楽曲の演奏途中で受信を開始したり、受信途中で利用者が他のチャンネルを選局したりする場合もある。このような場合、一通りの楽曲演奏を聴かなくても所定期間内に受信した楽曲として履歴簿に記録されてしまう。そこで、ある楽曲ＡのＩＤを取得した後、次曲の楽曲のＩＤを受信したらその楽曲ＡのＩＤを履歴に加えるようにしてもよい。あるいは所定時間以上、継続して同じ楽曲ＩＤを受信した場合に限ってそのＩＤを履歴に加えるようにしてもよい。
【００２４】
＝＝＝楽曲ジャンルの指定＝＝＝
上記実施例では、履歴簿にある楽曲と同じ楽曲のＩＤを受信すると、あらかじめ設定されていた指定チャンネルに切り換えていた。この例に限らず、楽曲のジャンル分類を指定して、履歴簿にある楽曲と同じ楽曲のＩＤを受信した場合、指定ジャンルに属する楽曲を放送している他のチャンネルに切り換えるようにしてもよい。受信中の楽曲のジャンル分類を特定したり、指定のジャンルの楽曲を放送しているチャンネルを特定したりするためには、例えば、ＥＰＧを利用することが考えられる。制御部１１は、利用者が指定したジャンルの記述子をフラッシュメモリ１７に記憶しておく。ジャンル記述子は、ジャンルを定義するための情報であり、ジャンル名（演歌、ジャズなど）自体のテキストデータであってもよいし、ジャンルに対応付けされた符号であってもよい。そして、履歴簿にある楽曲を受信した場合、ＥＰＧデータを取得して指定のジャンル記述子に該当するキーワードによって該当するチャンネル、あるいは該当する楽曲を放送しているチャンネルを検索する。そして、検索結果として得られた適宜なチャンネルに切り換える。
【００２５】
もちろん、特定のジャンルの楽曲を専門に放送しているチャンネルもあり、受信装置１の適宜な記憶資源に、このチャンネルＩＤとジャンル記述子との対応テーブルをあらかじめ記憶させておけば、指定のジャンルを放送しているチャンネルが特定でき、そのチャンネルに自動切り換えすることができる。
【００２６】
チャンネルを自動的に切り換える際、受信中の楽曲のジャンル分類を特定するとともに、その特定したジャンルと同じジャンルの楽曲を放送している他のチャンネルに切り換えれば、切換前後で同じジャンルの楽曲が受信され、利用者の嗜好にあった楽曲のみを受信し続けることできる。
【００２７】
また、番組制作者が意図すれば、付加データとして放送中の楽曲のジャンル記述子を含めることができ、そのような番組を受信する場合には、その付加データ中のジャンル記述子を取得すれば受信中の楽曲のジャンルを特定することができる。
【００２８】
＝＝＝デジタル音楽放送について＝＝＝
デジタル放送には各種形態があり、実施例に示したようなＣＳなどの人工衛星を利用した衛星デジタル放送に限らず、地上波デジタル放送、あるいはＩＰラジオと呼ばれるインターネットを利用した放送などがある。いずれの放送形態にしても、符号化圧縮技術とデータ多重化技術とにより、膨大な数の音楽専門チャンネルで多数の楽曲が同時並行的に放送され、それぞれの放送形態に対応したデジタル放送受信装置があり、本発明のデジタル音楽放送受信装置は、これらの放送形態にも適用が可能である。
【図面の簡単な説明】
【００２９】
【図１】本発明の実施例におけるデジタル音楽放送受信装置の機能ブロック図である。
【図２】上記受信装置におけるチャンネル自動切換機能の処理の流れ図である。
【符号の説明】
【００３０】
１  デジタル音楽放送受信装置
１１  制御部
１５  多重分離部
１７  フラッシュメモリ
１８  操作制御部
１９  操作パネル
２０  リモコン送信器
【図１】
2005294950.tif 000003
【図２】
2005294950.tif 000004